(57)【要約】      （修正有）【課題】閉塞事故が起こる場合、緊急排水ができて、室内に水をためることを避けることができ、より良い密封性があって、水漏れ事故を避ける室外下水道の提供。【解決手段】パイプライン本体及びパイプライン本体の上端及び下端の位置に設置される連結縁１０１を含む。連結縁１０１のパイプライン本体を遠ざける端には環状溝を開設する。環状溝内に防水パッドを設置する。防水パッドの厚さは環状溝の深さより大きい。パイプライン本体の外の表面の上端及び下端に近いところに緊急ドレイン２を設置する。緊急ドレイン２はパイプライン本体を遠ざける端にフランジ２０１を持つ。二つの緊急ドレイン２の間に緊急水のパイプライン３を連接する。緊急水のパイプライン３の両端にフランジ２０１に対応する第一フランジ３０１を設置する。フランジ２０１と第一フランジ３０１の間はボルトで連接される。【選択図】図１
0003201431.tif 000002
【実用新案登録請求の範囲】
【請求項１】
室外下水道において、パイプライン本体及び上述のパイプライン本体の上端及び下端の位置に設けられる連結縁を含み、上述のパイプライン本体には環状溝が設けられ、上述の環状溝内に防水パッドが設けられ、上述の防水パッドの厚さは上述の環状溝の深さより大きく、上述のパイプライン本体の外の表面の上端及び下端に近いところに緊急ドレインが設けられ、上述の緊急ドレインの端部にはフランジが設けられ、上述の二つの緊急ドレインの間には緊急水のパイプラインが連接され、上述の緊急水のパイプラインはU字形であり、上述の緊急水のパイプラインの両端は、上述のフランジに対応する第一フランジが設けられ、上述のフランジと上述の第一フランジの間はボルトで連接され、ボルトは三つ以上設けられることを特徴とする室外下水道。
【請求項２】
請求項１に記載の室外下水道において、上述の連結縁には三つ以上の連接穴が設けられ、上述の連接穴は上述の環状溝の外側に設置されることを特徴とする室外下水道。
【請求項３】
請求項１に記載の室外下水道において、上述の連結縁の外側は円状であることを特徴とする室外下水道。
【請求項４】
請求項１に記載の室外下水道において、上述のパイプライン本体と上述の緊急水のパイプラインはともにPVCプラスチックパイプラインであることを特徴とする室外下水道。
【請求項５】
請求項１に記載の室外下水道において、上述のフランジと第一フランジの間には防水ガスケットが設けられ、上述の防水パッドと上述の防水ガスケットはともにゴムで制作されることを特徴とする室外下水道。
【考案の詳細な説明】
【技術分野】
【０００１】
本実用新案は室外下水道に関連する。
【背景技術】
【０００２】
現有技術中に室外に装置される水道は多くに屋根のためる水と室内汚水を排出する。室内汚水と屋根のためる水の中にいろいろなかけらを含まれる。例えば髪の毛、ビニール袋、トイレペーパーなど、これらの物は水道を詰まらせやすい。現有の方法はパイプを通す作業者を依頼して疎通する。待つときに正常に排水できない、水をためやすい。
【考案の概要】
【考案が解決しようとする課題】
【０００３】
本実用新案は解決する技術問題が一種室外下水道を提供する。この装置は緊急水のパイプラインを設置される。閉塞事故が起こる場合、緊急排水ができて、室内に水をためることを避けることができ、それに本装置はより良い密封性があって、水漏れ事故を避ける。
【課題を解決するための手段】
【０００４】
上述の問題を解決するため、本実用新案配下の技術方案を採用する。一種室外下水道を公開された。パイプライン本体及び上述のパイプライン本体の上、下端の位置に設置される連結縁を含まれる。上述連接縁のパイプライン本体を遠ざける端は環状溝を開設される。上述の環状溝内に防水パッドを設置される。上述の防水パッドの厚さは上述の環状溝の深さより大きい。上述のパイプライン本体の外の表面の上、下端位置に近いところに緊急ドレインを設置される。上述の緊急ドレインは上述のパイプライン本体を遠ざける端はフランジを持つ。上述の二つの緊急ドレインの間に緊急水のパイプラインを連接される。上述の緊急水のパイプラインの両端に上述のフランジを配合される第一フランジを設置される。上述のフランジと上述の第一フランジの間にボルトで連接される。上述のフランジと上述の第一フランジの間にボルトで連接される。ボルトの環状は三つ以上に設置される。
【０００５】
最も良い技術方案として、上述の連接縁に三つ以上の連接穴を設置される。上述の連接穴は上述の環状溝の外側に設置される。
【０００６】
最も良い技術方案として、上述の連接縁のアウトコースのところにアーク移行である。
【０００７】
最も良い技術方案として、上述のパイプライン本体と上述の緊急水パイプラインともにPVCプラスチックパイプラインである。
【０００８】
最も良い技術方案として、上述のフランジと第一フランジの間に防水パッドを設置される。上述の防水パッドと上述の防水ガスケットともにゴムで制作する。
【考案の効果】
【０００９】
本実用新案の有益な効果はこの装置は緊急水のパイプラインを設置される。閉塞事故が起こる場合、緊急排水ができて、室内に水をためることを避けることができ、それに本装置はより良い密封性があって、水漏れ事故を避ける。本装置は構築も簡単、コストも安いで、普及させて使用することに適応する。
【図面の簡単な説明】
【００１０】
【図１】本実用新案の構築説明図である。
【図２】パイプライン本体の俯瞰図である。
【考案を実施するための形態】
【００１１】
次に付図を結びあわせて、本実用新案の最も良い実施例を詳しく説明する。本実用新案のメリットと特徴は本分野の技術者により優しく理解して、それによって本実用新案の保護範囲にもっと明確に範囲を決める。
【００１２】
図一と図二に参照した一種室外下水道で、パイプライン本体１及び上述のパイプライン本体の上、下端の位置に設置される連結縁１０１を含まれる。上述の連接縁１０１のパイプライン本体１を遠ざける端は環状溝（図示しない）を開設される。上述の環状溝内に防水パッド１０２を設置される。上述の防水パッド１０２の厚さは上述の環状溝の深さより大きい。上述のパイプライン本体１の外の表面の上、下端位置に近いところに緊急ドレイン２を設置される。上述の緊急ドレイン２は上述のパイプライン本体１を遠ざける端はフランジ201を持つ。上述の二つの緊急ドレイン２の間に緊急水のパイプライン３を連接される。上述の緊急水のパイプライン３はU字形である。上述の緊急水のパイプライン３の両端は上述のフランジ201を配合される第一フランジ３０１を設置される。上述のフランジ２０１と上述の第一フランジ301の間にボルト４で連接される。ボルト４の環状は三つ以上に設置される。
【００１３】
本実用新案のもっといい実施例は上述の連接縁１０１に三つ以上の連接穴１１１を設置される。上述の連接穴１１１は上述の環状溝の外側に設置される。
【００１４】
本実用新案のもっといい実施例は上述の連接縁１０１のアウトコースのところにアーク移行である。
【００１５】
本実用新案のもっといい実施例は上述のパイプライン本体1と上述の緊急水パイプライン3ともにPVCプラスチックパイプラインである。
【００１６】
本実用新案のもっといい実施例は上述のフラン201と第一フランジ301の間に防水パッド5を設置される。上述の防水パッドと上述の防水ガスケットともにゴムで制作する。
【００１７】
本実用新案の有益な効果はこの装置は緊急水のパイプラインを設置される。閉塞事故が起こる場合、緊急排水ができて、室内に水をためることを避けることができ、それに本装置はより良い密封性があって、水漏れ事故を避ける。本装置は構築も簡単、コストも安いで、普及させて使用することに適応する。
【００１８】
以上は本実用新案の基本原理、主要特徴及び本実用新案のメリットを表示して描写する。本分野の技術者は本実用新案が上述の実施例を限定されないことを了解すべきである。上述の実施例と説明書に描写したのはただ本実用新案の原理を説明するだけである。本実用新案の精神と範囲を離さないという前題で、本実用新案はまだいろいろな変化と改進があって、これらの変化と改進はすべて保護を要求される本実用新案の範囲の内に属する。本実用新案は要求された保護範囲が添付した権利要求書及びその同一のもので決める。
【符号の説明】
【００１９】
１  パイプライン本体
２  緊急ドレイン
３  緊急水のパイプライン
４  ボルト
【図１】
0003201431.tif 000003
【図２】
0003201431.tif 000004